(57)【特許請求の範囲】
【請求項１】
パネルであって、容器の容器本体に接続される周縁と、パネルに接続されたタブとを
含み、タブは、前方タブ部と、把持してパネルに開口部を形成するための後方タブ部とを含み、パネルはさらに、凸形状を呈する少なくとも２つのエンボスを含み、
前記エンボスは、後方タブ部の外形と整列する湾曲構造を有し、
前記エンボスは、後方タブ部に隣接して延在し、
前記エンボスの頂部は、容器の閉鎖後における後方タブ部の下側の高さよりも上方に延在し、
前記エンボスは、前記エンボスの頂部を含む外側部分と、外側部分よりも低い高さを有し、後方タブ部の下に延在する内側段差部分とを有し、
２つの前記エンボス間の間隔は、他のパネルの後方タブ部が後方タブ部の下に入り込めないものの、指のアクセスを可能とするようになっている、パネル。
【請求項２】
パネルは、中央段を有し、前記エンボスは、前記中央段に設けられる、請求項１に記載のパネル。
【請求項３】
前記エンボスの頂部の高さは、後方タブ部の上側の高さ以下である、請求項１または２に記載のパネル。
【請求項４】
前記エンボスの頂部の高さは、パネルの生産時または容器の閉鎖後に後方タブ部が有する最大高さである、請求項３に記載のパネル。
【請求項５】
パネルには、後方タブ部の自由端の下であって、２つの前記エンボス間の間隔に、くぼみが設けられ、それにより指のアクセスを形成する、請求項１〜４のいずれかに記載のパネル。
【請求項６】
前記エンボスの内側段差部分は、容器が閉鎖される前において後方タブ部の下側と接する、請求項１〜５のいずれかに記載のパネル。
【請求項７】
容器本体の端で、パネル周縁を介して、請求項１〜６のいずれかに記載のパネルが設けられている、容器本体。
【請求項８】
内圧と外圧との負圧差で、後方タブ部の下側とパネル表面との間に隙間がある、請求項７に記載の容器本体を含む、容器。
【発明の詳細な説明】
【技術分野】
【０００１】
この発明は、パネル、そのようなパネルが設けられる容器本体、およびそのようなパネルが設けられる容器に関する。
【背景技術】
【０００２】
パネルは、容器を閉鎖するために使用される。そのようなパネルにはしばしば、容器に開口部を形成し、それにより容器の中身へのアクセスを提供するためのタブが設けられている。タブはこのため、パネルに取付けられている。この取付けは、はんだ付けまたは接着を介して行なわれてもよいものの、通常、リベットを介して行なわれてもよい。リベットは、別個の要素であってもよく、または、パネルから形成され、パネルと一体であってもよい。
【０００３】
タブは、後方タブ部と、前方タブ部と、中央タブ部とを含み、中央タブ部で、タブはパネルに取付けられる。後方タブ部は、パネルに開口部を形成するために、ユーザによって把持され、持ち上げられるためのものである。後方タブ部を持ち上げると、前方タブ部をパネル上へと押付ける動作と、パネルに形成された切込みに沿った、パネルでの開口部の形成とが生じる。
【０００４】
パネルの構造および形は、後方タブ部がパネル表面と接触するか、もしくはパネル表面からある隙間または距離離れるようになっていてもよい。
【０００５】
充填後、パネルは容器（本体）に搭載される。充填され閉鎖された容器は、熱処理または殺菌処理を受けてもよい。容器の加熱は、圧力上昇およびパネルの膨張をもたらすであろう。この膨張は、パネル表面からの後方タブ部の持ち上がりをもたらすかもしれず、または、前方タブ部とパネル表面との間に隙間がすでにある場合には、隙間または距離の増加をもたらすかもしれない。
【発明の概要】
【発明が解決しようとする課題】
【０００６】
出願人は、後方タブ部とパネルとの間のそのような隙間により、外部缶構造が後方タブ部の後ろで係合するかまたは引っ掛かるようになる状況に直面してきた。そのような外部缶構造は、別のパネルのパネル周縁あるいは後方タブ部に引っ掛かる別のパネルであり得る。充填された缶の場合、外部構造は、熱処理時などの別の容器の容器本体リムまたは直立した後方タブ部であり得る。充填前にパネルが容器本体に接続されている場合にも、同様の引っ掛かる問題が起こり得る。
【０００７】
この発明の目的は、後方タブ部がパネル表面からある距離離れている場合に上述の係合または引っ掛かりの危険が実質的に存在しないパネルを、別個のパネルとして、または容器本体上に搭載されたパネルとして、または充填された容器の一部として提供することである。依然として、そのようなパネルは、概して追加のツールを必要とせず、かつ、生産、パネルの機能、特に、容器を開けるために後方タブ部を把持して持ち上げることを妨害しない、標準の製造手段で製造されるべきである。
【課題を解決するための手段】
【０００８】
この目的は、パネルであって、容器の容器本体に接続される周縁と、パネルに接続されたタブとを含み、タブは、前方タブ部と、把持してパネルに開口部を形成するための後方タブ部とを含み、パネルには、外部缶構造が後方タブ部に係合することを防止する手段が設けられている、パネルを提供することにより、この発明によって満たされる。
【０００９】
この発明は、外部缶構造が後方タブ部とパネル表面との間の隙間または空間に入り込むことを防止する手段を提供することにより、引っ掛かる問題が完全にではなくとも実質的に回避される、という見識に基づいている。このため、防止手段は、隙間の前で、または隙間の下にも延在する。あらゆる状況下で、外部缶構造がタブ後方部に係合できないような態様になっている。防止手段はパネルの（理論的）外囲の外側に延在していないため、パネルの製造プロセスでは妨害は実質的になく、缶の製造時には妨害はないであろう。
【００１０】
第１の実施例では、防止手段は、少なくとも後方タブ部に隣接して延在し、好ましくは後方タブ部の下にも延在する、少なくとも１つのエンボスを含む。そのようなエンボスは、その製造時に標準のツールを用いてパネル表面に形成可能である。タブをパネルに接続する前でも後でもよい。エンボスは、外部缶構造、特に他のタブまたは缶リムおよび缶縁が、後方タブ部に係合できないように形作られ、配置されている。そのような要件を１つのエンボスで満たすことができないかまたはあまり確実に満たすことができない場合、この発明は、２つ以上のエンボスの適用を予測する。なお、後方タブ部と中央タブ部との間のタブの開口部を介して、後方タブ部に指が到達可能な場合、指のアクセスは必要とされなくてもよい。
【００１１】
別の実施例によれば、防止手段は、後方タブ部の横に間隔をあけて延在する、このため後方タブ部に隣接して延在し、好ましくは後方タブ部の下にも延在する、少なくとも２つのエンボスを含む。間隔をあけた２つのエンボスを、２つのエンボス、後方タブ部の自由端、およびパネル表面の間に開口部がある状態で使用する場合、この開口部は、後方タブ部を把持するための指のアクセスを可能にする。
【００１２】
明らかに、別の実施例については、２つのエンボス間の間隔は、外部缶構造に鑑みて選択される。この間隔は、他のタブの鋭い形状にとってはより小さく、リムおよび周縁などの缶本体および缶の湾曲部にとってはより広いものであってもよい。したがって、２つのエンボス間の間隔は、外部缶構造が後方タブ部の下に入り込めないものの、指のアクセスを可能とするようになっていることが好ましい。
【００１３】
外部缶構造が後方タブ部に係合することまたは引っ掛かることを回避するために、後方タブ部に隣接して延在するエンボスまたはエンボス部分は、少なくとも後方タブ部の下側の高さと等しい高さにわたって延在すること、もしくは、後方タブ部に隣接して延在するエンボスまたはエンボス部分は、最大で後方タブ部の上側の高さと等しい高さにわたって延在することが好ましい。双方の実施例によれば、後方タブ部およびパネル表面の下に外部缶構造が入り込むことは、エンボスまたはエンボス部分の寸法によって妨げられる。
【００１４】
ここにおよび上に示すように、パネルの生産または充填された缶の生産は、後方タブ部とパネル表面との間の隙間または距離が一定ではなく、パネルの製造時にまたは缶の充填および閉鎖後に変わり得るようになっていてもよい。したがって、後方タブ部下側または後方タブ部上側の高さは、パネルおよび／または缶の生産、充填、調理、および保管時の関連高さである。エンボスまたはエンボス部分の高さはしたがって、パネルの生産時および／または缶の閉鎖後に後方タブ部が有し得る最大高さに調節される。
【００１５】
ここにおよび上に示すように、後方タブ部は、概して後方タブ部に存在する開口部を介して、ユーザの指によって把持されてもよい。明らかに、後方タブ部の把持は、この後方タブ部開口部を介してだけでなく、後方タブ部の自由端も介して、ユーザによって改良され、または望まれてもよい。したがって、パネルには、後方タブ部の自由端にくぼみが設けられ、それにより指のアクセスを形成することが好ましい。
【００１６】
別の局面によれば、この発明はまた、容器本体の端で、パネル周縁を介して、ここにおよび上に示すようなパネルがパネルが設けられている、容器本体に関する。
【００１７】
依然として、別の局面によれば、この発明は、ここにおよび上に示すようなパネルおよび／または容器本体を含む、容器に関する。この発明に従ったパネルを有する、充填され閉鎖されたそのような容器は、後方タブ部とパネルとの間に隙間を有し得るものの、依然として、外部缶構造との係合または引っ掛かりが回避される。そのような隙間は好ましくは、内圧と外圧との負圧差により、後方タブ部とパネルとの間に隙間があるように形成されてもよい。
【００１８】
この発明の上述のおよび他の特徴が、以下のこの発明のいくつかの実施例の説明によって、この発明をこれらの実施例に限定する意図なく、さらに説明され例示されるであろう。この点において、添付図面を参照する。
【図面の簡単な説明】
【００１９】
【図１】この発明に従ったパネルの斜視図である。
【図２】図１のパネルの上面図である。
【図３Ａ】この発明に従ったパネルのある段階の図２の線ＩＩＩ−ＩＩＩの断面図である。
【図３Ｂ】この発明に従ったパネルのある段階の図２の線ＩＩＩ−ＩＩＩの断面図である。
【図４】この発明に従った他のパネルの上面図である。
【図５】図４に示すパネルの断面図である。
【図６】この発明に従った他のパネルの上面図である。
【図７】図６に示すパネルの断面図である。
【図８】この発明に従った他のパネルの上面図である。
【図９】図８に示すパネルの断面図である。
【図１０】この発明に従ったパネルのさらに別の実施例の上面図である。
【図１１】容器本体上に搭載された、この発明に従ったパネルの斜視図である。
【発明を実施するための形態】
【００２０】
図１は、この発明に従ったパネル１を開示している。パネル１は、容器の容器本体（図１３参照）に接続される周縁を含む。タブ４は、タブ４の中央部６に位置するリベット５を介してパネル１に接続される。タブ４はさらに、切込み線８の近くに位置する前方タブ部７を含む。切込み線８は、タブ４を動かして引っ張ることによって取外されるように周縁２と中央パネル部９との間に延在する円形を有する。
【００２１】
タブ４はさらに、タブ開口部１１が設けられた後方タブ部を含む。後方タブ部１０は、缶のユーザによって把持されるように意図されている。タブ４は通常、タブ開口部１１を介して２本の指で、後方タブ部の自由端を２本の指で把持され、もしくは、１本の指をタブ開口部を通して伸ばすことにより、またはタブ４の自由端１２の下に１本の指を入り込ませることによって把持される。
【００２２】
後方タブ部１０を持ち上げると、前方タブ部は、切込み線８にまたはその近くに接触して、それにより切込みをポンと開けてこじ開けるであろう。最終的には、タブ４を持ち上げて引っ張り、それを上向きに動かすことにより、中央パネル部９が取外され、切込み線８によって規定された開口部が形成されるであろう。
【００２３】
図１に示すように、中央パネル部９は、外側段１３と、中間段１４と、中央段１５とを有する段構造を有する。
【００２４】
この発明に従ったパネル１には、外部缶構造が後方タブ部に係合したり引っ掛かることを防止するための防止手段１６が設けられている。そのため、防止手段１６は、後方タブ部１０の横に間隔をあけて延在する２つの細長いエンボス１７および１８という形を有する。２つのエンボス１７、１８間の間隔１９は、外部缶構造が、２つのエンボス１７、１８間の間隔１９へと入り込み得るような鋭いまたは尖った構造を有さないようになっている。
【００２５】
パネル１にはさらに、中央段１５に、ユーザがタブ４の後方タブ部１０の後部タブ自由端１２の自由端を把持する際に使用する指のアクセスを形成するくぼみ２０が設けられている。
【００２６】
図２に示すように、エンボス１７および１８は、後方タブ部１０の外形と整列する細長い湾曲構造を有する。
【００２７】
図３Ａは、２つのエンボス１７および１８が、（後方タブ部１０の下ではなく）後方タブ部１０に隣接して延在することを示す。エンボス１７および１８の高さｈは、生産、充填、調理、および保管時に、後方タブ部の下側の高さよりも大きい高さにわたって延在するようになっている。なお、この点において、図３Ａは、後方タブ部１０が中央段１５の表面２１上に位置する製造時のその元々の形状のパネルを示す。しかしながら、充填してパネル１で容器を閉鎖した後では、図３Ｂに示すように、自由端部１０は表面２１の上方に延在し、自由端部１０と表面２１との間に隙間を残す。依然として、いかなる外部缶構造の入り込みも回避される。なぜなら、エンボス１７および１８は依然として後方タブ部１０の下側よりも上方に延在して、そのような入り込みを防止するためである。
【００２８】
図４および図５は、この発明に従った別のパネル２５を示す。なお、図１〜３で説明したようなパネル１の構造的特徴に類似しているかまたは同一である構造的特徴は、同じ参照番号によって参照されるであろう。
【００２９】
この場合、段１５には、タブ４の自由端部１０に隣接してかつその下に延在するエンボス２６および２７が設けられている。エンボス２６および２７は、自由端部１０の構造に適合した細長い湾曲構造を有する。図７により明らかに示すように、エンボス２６および２７は、後方タブ部１０に隣接して延在する外側エンボス部分２８と、後方タブ部１０の下に延在するエンボス部分２９とを含む。このため、後方タブ部は、エンボス２６および２７に入れ子にされる。ここでも、エンボス２６、２７間の間隔は、外部缶構造との引っ掛かりまたは係合が回避されるようになっている。後方タブ部１０の側部に沿った引っ掛かりまたは係合も回避される。
【００３０】
図６および図７は、この発明に従った別のパネル３０を示す。パネル３０は、タブ４の後方タブ部１０に隣接してかつそれに沿って延在するディンプル３１（全部で８個）の形を有する、この発明に従った防止手段１６を含む。ディンプル３１の高さｈは、後方タブ部１０の下側の高さより大きいものの、後方タブ部１０の上側の高さより小さい。依然として、外部缶構造の入り込みは、後方タブ部１０の外周全体に沿って回避される。明らかに、そして図１〜７に示す実施例と同様に、中央の２つのディンプル３１は、指のアクセスを向上させるために取除かれてもよい。また、ディンプル３１は、後方タブ部１０に隣接して延在してもよいだけでなく、後方タブ部の下にのみ延在してもよく、または、後方タブ部１０の下にかつ後方タブ部１０に隣接して延在してもよい。依然として、あらゆる状況下で、防止手段１６は、タブ４の後方タブ部１０の下に外部缶構造が係合することまたは引っ掛かることを回避する。図８に示すように、くぼみ３２は、タブの開口部１１内でかつ後方タブ部１０の自由端１２の下にのみ延在している。
【００３１】
図８および図９は、この発明に従った別のパネル３３を示す。この場合、パネル３３には、細長く湾曲した形状のエンボス３４の形をした防止手段１６が設けられており、エンボス３４は、概してかつ実質的に、自由端１２を含む後方タブ部１０に沿って延在するようになっている。
【００３２】
図１０は、この発明に従った別のパネル３５を示す。パネル３５には、中央段１５に、湾曲した細長いエンボス３６と、ディンプル３７の形を有するエンボス３７と、短く伸びてまっすぐなエンボス３８という形を有する防止手段１６が設けられている。依然として、エンボス３６〜３８は、後方タブ部１０に沿って、その外側に隣接して延在するかまたはその外側で延在している。エンボス３６、３７間には、指のアクセスを可能にする間隔３９があり、そこにはくぼみ４０も設けられている。なお、防止手段１６は、指のアクセス４１も非対称になるように非対称であり、それは、少なくとも中央部１５に形成される写真またはイラストなどの販促もしくは特定の広告にとって上品となるかもしれない。
【００３３】
最後に、図１１は、その周縁２で容器本体３上に搭載されたパネル１を示す。容器本体３には、底があってもよいし、または底がなくてもよい。底がある場合、それはこの発明に従った容器を形成し、底がない場合、容器を充填し、次に充填後の容器を（図示しない）底で閉鎖することを可能にする。
【００３４】
当業者であれば、この発明に従ったパネルは、主としてアルミニウム、鋼、およびブリキなどの金属で作られることをを理解するであろう。しかしながら、好適なプラスチックまたはプラスチック要素と金属要素との組合せが、原則として好適である。また、パネルの直径および厚さは、機能および好適性が妨げられない限り、広い範囲内で選択されてもよい。このため、２０〜１８０ｍｍ、たとえば３５〜１２０ｍｍといった範囲の、９６ｍｍなどのパネル直径が、好適である。材料の種類に依存する厚さは、０．１０〜２ｍｍ、たとえば０．１８〜ｌｍｍまたは０．２２〜０．８ｍｍといった範囲内にあってもよい。
【図１】
0006703368.tif 000002
【図２】
0006703368.tif 000003
【図３Ａ】
0006703368.tif 000004
【図３Ｂ】
0006703368.tif 000005
【図４】
0006703368.tif 000006
【図５】
0006703368.tif 000007
【図６】
0006703368.tif 000008
【図７】
0006703368.tif 000009
【図８】
0006703368.tif 000010
【図９】
0006703368.tif 000011
【図１０】
0006703368.tif 000012
【図１１】
0006703368.tif 000013